(57)【要約】【課題】本発明は一年を通して常に連続する二ヶ月分の暦葉を同時に表示できる背面式卓上カレンダーを提供する。【解決手段】本発明は、複数枚の重ね合わせた暦葉と、この暦葉を保持する暦葉ケースとからなる卓上カレンダーにおいて、該暦葉ケースは、所定の形状に型抜きされた弾性変形可能な合成樹脂シートからなり、中央折り線を挟んで二つの暦葉ケースの矩形状の保持部を設け、該保持部の四辺のうち、前記中央折り線を除く三辺には、収容される所定枚数の暦葉の厚さに対応する幅を持った平行な二本の内側折り線と外側折り腺からなる左右の側面部と底面部を夫々設け、さらに該外側折り腺の外側に表面部を設け、加えて上記二つの暦葉ケースの保持部に係止片を刻設したことを特徴とする背面式卓上カレンダーである。【選択図】図３
2005324482.tif 000002
【特許請求の範囲】
【請求項１】
複数枚の重ね合わせた暦葉と、この暦葉を保持する暦葉ケースとからなる卓上カレンダーにおいて、該暦葉ケースは、所定の形状に型抜きされた弾性変形可能な合成樹脂シートからなり、中央折り線を挟んで二つの暦葉ケースの矩形状の保持部を設け、該保持部の四辺のうち、前記中央折り線を除く三辺には、収容される所定枚数の暦葉の厚さに対応する幅を持った平行な二本の内側折り線と外側折り腺からなる左右の側面部と底面部を夫々設け、さらに該外側折り腺の外側に表面部を設け、加えて上記二つの暦葉ケースの保持部に係止片を刻設したことを特徴とする背面式卓上カレンダー。
【請求項２】
前記の二つの暦葉ケースの保持部に刻設された係止片の一方は中央折り線側が拡開され、他方は底面部側が拡開されていることを特徴とする請求項１の背面式卓上カレンダー。
【発明の詳細な説明】
【技術分野】
【０００１】
本発明は一年を通して常に連続する二ヶ月分の暦葉を同時に表示できる背面式卓上カレンダーに関するものである。
【背景技術】
【０００２】
従来から、カード式卓上カレンダーの多くは図６の（A）及び（B）に示すように、透明のプラスチック板または塩化ビニール等の合成樹脂シートからなる暦葉ケースに、１月から１２月までの単月の暦葉を重ねて収納して一ヶ月単位で使用するものが知られている。
【０００３】
しかしながら、卓上カレンダーは単に日付と曜日を確認するだけでなく、予定表として使われることも多く、そのためには常に近い将来の暦が容易に確認できる必要があるにも拘わらず、従来の一ヶ月単位の卓上カレンダーでは、月末ともなれば、次月の曜日を確認する場合や、予定を記入するためには、その都度当月の暦葉をケースからはずして、次月分暦葉を活用しなければならないという煩わしさがあった。しかも、次月の予定を記入した後も、当月においては見ることができないという難点があった。
【０００４】
そこでこれらの不都合を解消するために、一年を通して常に二ヶ月分の暦葉を同時に表示できる卓上カレンダーもいくつか提案されている。（例えば、特許文献１及び２参照）
【特許文献１】登録実用新案第３０５３４６５号
【特許文献２】特許公開２００３−１７５６８７しかしながら、登録実用新案第３０５３４６５号公報に示される２段ポケット付き卓上カレンダーは、ポケットの収納口が向かって右側にあるので左利きの人には使い辛く、また左手で持ち上げた時に僅かでも右に傾くと、収納されている暦葉がポケットからこぼれ落ちるという難点がある。また、特許公開２００３−１７５６８７号公報に示される卓上カレンダーは、偶数月から始まる二ヶ月は月の並びが逆転するので、使用上の違和感から使い辛いという難点がある。
【発明の開示】
【発明が解決しようとする課題】
【０００５】
そこで本発明は、一年を通して常に連続する二ヶ月分の暦葉を同時に表示できて、予定表としても優れた機能を有する背面式卓上カレンダーの提供を課題とする。
【課題を解決するための手段】
【０００６】
本発明は、上記の課題を解決する目的で、複数枚の重ね合わせた暦葉と、この暦葉を保持する暦葉ケースとからなる卓上カレンダーにおいて、該暦葉ケースは、所定の形状に型抜きされた弾性変形可能な合成樹脂シートからなり、中央折り線を挟んで二つの暦葉ケースの矩形状の保持部を設け、該保持部の四辺のうち、前記中央折り線を除く三辺には、収容される所定枚数の暦葉の厚さに対応する幅を持った平行な二本の内側折り線と外側折り腺からなる左右の側面部と底面部を夫々設け、さらに該外側折り腺の外側に表面部を設け、加えて上記二つの暦葉ケースの保持部に係止片を刻設したことを特徴とする背面式卓上カレンダーを提供する。
【０００７】
また、前記の二つの暦葉ケースの保持部に刻設された係止片の一方は中央折り線側が拡開され、他方は底面部側が拡開されていることを特徴とする。
【０００８】
上記暦葉ケースの使用にあたっては、二つの暦葉ケースが、中央折り線を挟んで夫々の保持部の天辺で繋がる形状となっており、その双方の保持部を該中央折り線で背中合わせに所定の角度に折り曲げるとともに、それら保持部に刻設された係止片を裏側に折り出し、相互に係止することで、該二つの暦葉ケースが背中合わせにもたれ合う形状で固定され、机上に安定して載置することができる。
【発明の効果】
【０００９】
本発明の背面式卓上カレンダーは、中央折り線を挟んで二つの暦葉ケースが、夫々の保持部の天辺で背中合わせに繋がり、その双方の保持部に刻設された係止片を裏側に折り出し相互に係止することで、該二つの暦葉ケースが背中合わせにもたれ合う形状で固定され、机上に安定して載置された後、手前の暦葉ケースに当月の暦葉を収納し、背後の暦葉ケースに次月以降の暦葉を収納することで、一年を通して常に連続する二ヶ月分の暦葉を同時に表示することができ、予定表としても優れた機能と効果を発揮するものである。
【発明を実施するための最良の形態】
【００１０】
本発明の最良の実施形態を図面に基づき説明する。
【実施例】
【００１１】
図１は本発明の背面式卓上カレンダーの構成部材を示す説明図であり、（Ａ）は暦葉ケースの展開平面図であり、（Ｂ）は各月の暦葉を示す図である。展開平面図中の実線は外郭線及び切込み線を示し、破線は折り線を示す。図１の（A）において、本発明の背面式卓上カレンダーの二つの暦葉ケースは、所定の形状に型抜きされた弾性変形可能な合成樹脂シートからなり、中央折り線９を挟み、図１（B）に示す暦葉の大きさに適合する矩形状の保持部１、１´を有する。
【００１２】
また、該保持部１、１´の四辺のうち、前記中央折り線９を除く三辺には、収容される所定枚数の暦葉の厚さに対応する幅Wを持った平行な二本の内側折り線２と外側折り腺５からなる左右の側面部３と底面部４を夫々設け、さらに該外側折り腺５の外側に表面部６が設けられている。
【００１３】
加えて、上記保持部１、１´の中央部には、図３に示すように前記暦葉ケースが組み立てられたときの形状を保形するための係止辺７、７´が刻設されている。このとき、夫々の係止片７、７´の一方は中央折り線９側が拡開され、他方は底面部４側が拡開されていることが望ましい。
【００１４】
図２は図１の暦葉ケースの組み立て工程を示す斜視図である。図２において、該暦葉ケースの組み立てに当たっては、前記保持部１、１´の四辺のうち、中央折り線９を除く三方に設けられた左右の側面部３と底面部４を、夫々の内側折り線２で表側方向へ直角に折り曲げた後、その側面部３及び底面部４の外側に連接した表面部６を該保持部１、１´と平行になるよう、外側折り線５で再度内側に直角に折り曲げる。
【００１５】
図３は図１の暦葉ケースの組み立てられた形状を示す斜視図である。図３において、二つの保持部１、1´を夫々の天辺に該当する中央折り線９で所定の角度に折り曲げるとともに、該保持部１、１´に刻設された双方の係止片７、７´を係止片折り線８で裏側に折り出し相互に係止する。
【００１６】
図４は図３の組み立てられた暦葉ケースの底面図である。図４に示すように、前記の双方の係止片７、７´を弾性変形させて相互に係止した後、弾性復帰させると、その弾性力により二つの暦葉ケースは断面三角形状に保形され、背中合わせにもたれ合う形状で安定して机上に載置できる。
【００１７】
図５は当該卓上カレンダーの使用状態を説明するための平面図である。先ず図５（Ａ）において一月暦葉１０を手前の暦葉ケース１１に収納し、二月暦葉１２を先頭にして、それ以降の暦葉を束ねて背後の暦葉ケース１３に収納することで、一月と二月の暦葉を同時に表示することができる。次に図５（Ｂ）において一月終了時点で背後の暦葉ケース１３から二月暦葉１２を抜き出して手前の暦葉ケース１１に収納すれば、背後の暦葉ケース１３には三月暦葉１４が現れ、直ちに二月と三月の暦葉が同時に表示できる。以後毎月同様の作業を繰り返すことで、一年を通して常に連続した二ヶ月分の暦葉を同時に表示することができ、予定表としても優れた機能と効果を発揮するものである。
【００１８】
なお、当該背面式卓上カレンダーは、常に二ヶ月分の暦葉を表示できるにも拘わらず、机上における占有スペースは図６に示す一ヶ月単位で使用する卓上カレンダーと同等もしくは少なくて済むという構造上の特長を有している。
【図面の簡単な説明】
【００１９】
【図１】本発明の背面式卓上カレンダーの構成部材を示す説明図であり、（Ａ）は暦葉ケースの展開平面図であり、（Ｂ）は各月の暦葉を示す図である。
【図２】図１の暦葉ケースの組み立て工程を示す斜視図である。
【図３】図１の暦葉ケースの組み立てられた形状を示す斜視図である。
【図４】図３の組み立てられた暦葉ケースの底面図である。
【図５】当該卓上カレンダーの使用状態を説明するための平面図である。
【図６】従来の一ヶ月単位の卓上カレンダーの一例を示す説明図である。
【符号の説明】
【００２０】
１、1´  保持部
２  内側折り線
３  側面部
４  底面部
５  外側折り線  
６  表面部
７、7´  係止片
８  係止片折り線
９  中央折り線
１０  一月暦葉
１１  手前の暦葉ケース
１２  二月暦葉
１３  背後の暦葉ケース
１４  三月暦葉
W  収容される所定枚数の暦葉の厚さに対応する幅
尚、各図中の同一符号は、同一または相当部分を示す。
【図１】
2005324482.tif 000003
【図２】
2005324482.tif 000004
【図３】
2005324482.tif 000005
【図４】
2005324482.tif 000006
【図５】
2005324482.tif 000007
【図６】
2005324482.tif 000008